(57)【要約】【課題】野球またはソフトボール用の軽量グローブを提供する。【解決手段】本発明は、着用者の手に順応するフィット感を提供する弾性指裏を含むことができる、野球またはソフトボール用の軽量グローブを提供する。一般に、弾性指裏は、従来のグローブの既存の、しばしば革製の指裏、背面パネル、裏地、および／または他の要素を弾性素材、弾性素材の組合せ、または弾性素材と非弾性素材の組合せで置き換えることができる。【選択図】図５
2020146450.tif 000002
【特許請求の範囲】
【請求項１】
指裏と、
前記指裏によって画定された親指ストールと、
前記指裏によって画定された複数の指ストールと
を備え、
前記指裏は、弾性素材を含み、
前記指裏は、前記親指ストールおよび前記複数の指ストールによって収容された手を圧縮的に固定するように適合される、グローブ。
【請求項２】
裏地と、
前記裏地によって画定された親指裏地と、
前記裏地によって画定された複数の指裏地と
をさらに備え、
前記親指裏地および前記複数の指裏地は、前記指裏に収容され、
前記指裏は、前記親指裏地および前記複数の指裏地を圧縮的に係合するように適合される、
請求項１に記載のグローブ。
【請求項３】
前記親指裏地および前記複数の指裏地は、前記手を収容するように適合される、請求項２に記載のグローブ。
【請求項４】
前記親指ストールは、前記親指裏地を収容するように適合される、請求項２に記載のグローブ。
【請求項５】
前記複数の指ストールは、前記複数の指裏地を収容するように適合される、請求項２に記載のグローブ。
【請求項６】
前記指裏は、通気性素材をさらに含む、請求項１に記載のグローブ。
【請求項７】
前記弾性素材は、メッシュ状素材である、請求項１に記載のグローブ。
【請求項８】
前記指裏は、非弾性素材をさらに含む、請求項１に記載のグローブ。
【請求項９】
裏地と、
前記裏地によって画定された親指裏地と、
前記裏地によって画定された複数の指裏地と
をさらに備え、
前記親指裏地および複数の指裏地は、前記指裏に収容され、
前記指裏は、前記親指裏地および前記複数の指裏地を圧縮的に係合するように適合される、
請求項８に記載のグローブ。
【請求項１０】
前記親指裏地および前記複数の指裏地は、前記手を収容するように適合される、請求項９に記載のグローブ。
【請求項１１】
前記親指ストールは、前記親指裏地を収容するように適合される、請求項１０に記載のグローブ。
【請求項１２】
前記複数の指ストールは、前記複数の指裏地を収容するように適合される、請求項１０に記載のグローブ。
【請求項１３】
前記指裏は、通気性素材をさらに含む、請求項８に記載のグローブ。
【請求項１４】
前記弾性素材は、メッシュ状素材である、請求項８に記載のグローブ。
【請求項１５】
前面パネルおよび背面パネルであって、前記前面パネルおよび前記背面パネルは各々、上部部分ならびに第１および第２の側面部分を有し、前記前面パネルおよび前記背面パネルは、それらのそれぞれの上部部分、第１の側面部分、および前記第２の側面部分に締結具によって互いに固定され、前記前面パネルおよび背面パネルは、それらのそれぞれの底部部分で接続されておらず、それらの間に開口部を形成する、前面パネルおよび背面パネルを備え、
前記背面パネルは、前記開口部に収容された手を圧縮的に固定するための弾性指裏を含む、
グローブ。
【請求項１６】
前記弾性指裏は、親指ストールと複数の指ストールを画定する、請求項１５に記載のグローブ。
【請求項１７】
裏地と、
前記裏地によって画定された親指裏地と、
前記裏地によって画定された複数の指裏地と
をさらに備え、
前記親指裏地および前記複数の指裏地は、前記指裏に収容され、
前記指裏は、前記親指裏地および前記複数の指裏地を圧縮的に係合するように適合される、
請求項１５に記載のグローブ。
【請求項１８】
前記指裏は、通気性素材をさらに含む、請求項１５に記載のグローブ。
【請求項１９】
前記弾性素材は、メッシュ状素材である、請求項１５に記載のグローブ。
【請求項２０】
前記指裏は、非弾性素材をさらに含む、請求項１５に記載のグローブ。
【発明の詳細な説明】
【技術分野】
【０００１】
（関連出願の相互参照）
本出願は、２０１９年２月２５日に出願された、現在継続中の「Ｇｌｏｖｅ  ｗｉｔｈ  Ｅｌａｓｔｉｃ  Ｂａｃｋｆｉｎｇｅｒ」という名称の米国仮特許出願第６２／８０９，８０１号の優先権を主張し、その全開示が参照により本明細書に組み込まれる。
【０００２】
本発明は、スポーツ用具に関し、より詳細には、野球またはソフトボール用のグローブに関する。本発明は、具体的には、グローブの快適性を高めるために着用者の手に順応するフィット感を提供する弾性指裏を備えた、野球またはソフトボール用の軽量グローブに関する。
【背景技術】
【０００３】
図１に示されるように、野球またはソフトボール用の従来のグローブ１００は、一般に、親指部分１０５と、４つの指部分１１０とを備える。指部分１１０は、従来通り、クロスブレースによって接合され、連接された指領域を形成する。クロスブレースは、限定はしないが、コードなどを含む。ウェブは、締結手段によって、親指部分１０５と指部分１１０との間に位置して固定される。前面パネル（図示せず）は、グローブ１００の前壁を形成し、背面パネル１１５は、グローブ１００の後壁を形成する。前面および背面パネルは、様々な締結手段によってグローブ１００の周縁部で互いに固定され、上部、底部、および対向する側面を有するグローブ表面１２０を形成する。締結手段は、限定はしないが、ステッチ、コード、留め金、リベット、接着剤、および他の締結手段を含んでもよい。
【０００４】
背面パネル１１５の下縁は、着用者の手を収容するための開口部１２５を含み、開口部１２５にわたって延びる調節可能なストラップまたはひも１３０をさらに備えてもよい。調節可能なストラップまたはひも１３０は、典型的には、使用中に着用者の手をグローブ１００に選択的に固定するためのフックリングタイプの締結具、プルストラップ、ベルクロ（登録商標）ストラップなどを備える。前面および背面パネルは、好ましくは、構造的完全性および衝撃吸収の目的のために、比較的厚く、緻密で硬い素材で構成される。
【０００５】
図２に示されるように、グローブ表面１２０は、一般に、内側親指ストール１３５と内側指ストール１４０を画定する。親指ストール１３５は、親指部分１０５内に形成され、指ストール１４０は、指部分１１０内に形成される。
【０００６】
野球またはソフトボール用の従来のグローブ１００は、裏地１４５をさらに備える。革素材から伝統的に作られる裏地１４５は、着用者の手の親指を収容するための親指裏地１５０と、着用者の手の指を収容するための指裏地１５５とを含む。表面１２０に関して、裏地１４５は、前面パネルの内面の手のひら裏地パネルを備え、親指裏地１５０および指裏地１５５は、一般に、グローブ表面１２０のそれぞれ親指ストール１３５および指ストール１４０に存在し得る。
【０００７】
特定のグローブは、裏地１４５またはそれによって画定された従来の親指裏地１５０および指裏地１５５を含まない。代わりに、そのようなグローブは、着用者の手と手のひらを覆うための追加の素材および詰め物の追加を可能にするために、着用者の指の少なくとも１つを収容するための単一の区画またはストールを備える。そのようなグローブは、一般に、捕手または一塁手による使用に適合しており、望ましい衝撃吸収効果を提供する。しかし、そのようなグローブは、限定はしないが、投手、捕手、一塁手、内野手、外野手などのためのグローブを含む、他のプレーヤが着用するグローブに効果的に適用されていない。
【０００８】
前面パネルおよび手のひら裏地は、グローブ１００の対向する側面の間に延びるグローブ１００の土手を形成するために、概して互いに見当合わせされた下縁部を有する。前面パネルは、グローブ１００の前表面を形成する外面と、内面とを有する。前面パネルの外面は、グローブ１００の土手の上、かつウェブおよび指部分１１０の下に位置する捕球ポケットを形成する中央部分を有する。背面パネル１１５は、グローブ表面１２０の親指ストール１３５および指ストール１４０を囲む外面を有する。背面パネル１１５はまた、親指部分１０５および指部分１１０を覆い、概して指裏１６０を形成し得る。指裏１６０は、典型的には、背面パネル１１５の内部（図示せず）によって概して画定され得る素材または複合素材の連続片を備える。
【０００９】
従来の方法で構成されたグローブは重く、十分な通気性がなく、使用中にグローブを着用者の手に順応させるための適切な手段を提供しない。一般に、従来の構造のグローブは、全体的にまたはほとんどが革および／または革状素材で構成されており、これらは一般に比較的緻密で硬い素材である。野球またはソフトボール用のグローブの構成にこのような緻密な素材を使用すると、特に捕手または外野手のグローブなど、追加の詰め物または長さのある素材を含むグローブでは、比較的重いグローブになってしまう。加えて、一般に、革および／または革状素材は、十分に通気性がなく、グローブの使用中に着用者の手の上および周りの空気の流れを制限する。
【００１０】
さらに、野球またはソフトボール用の既知のグローブは、所望の仕様および寸法を満たす目的のために余分または不必要な素材を含む。例えば、既知のグローブの親指ストールおよび指ストールに対応する指要素は、緻密な革または革状素材、内部の詰め物、構造支持部、締結手段、およびクロスブレースを含み、これによりグローブの総重量が増加する。着用者が野球またはソフトボール用のグローブに自分の手を挿入すると、着用者の指は親指ストールまたは指ストールに部分的にしか伸びず、野球またはソフトボール用の従来のグローブの親指または指の少なくとも５０パーセント（５０％）は、着用者の指を収容する以外の目的で設計されている。余分または不必要な素材を含むのは親指および指の部分であり、これはグローブの重量を増加させ、そのようなグローブの使いやすさを制限する。加えて、プロレベルの競技用の野球またはソフトボール用に構成されたグローブは、一般に、追加の長さ、詰め物、および構造支持部を提供するために、さらに多くの革または革状素材を含む場合がある。
【００１１】
さらに、既知のグローブの指裏、背面パネル、裏地、および他の要素は、グローブの最適なフィット感および通気性を概して妨げる硬い素材を含む。例えば、既知のグローブの指裏または背面パネルは、柔軟性が制限されており、着用者の手の上または周りに十分な空気の流れを与えない革または革状素材を含む。さらに、既知のグローブの前面パネルの革または革状素材は、手のひらを折ったり、またはグローブのポケットを形成したりする過程により時間の経過と共に硬さが低下する可能性があるが、既知のグローブの指裏および背面パネルの素材は、一般に、グローブの寿命にわたって比較的硬いままである。
【００１２】
したがって、既知のグローブと比較して少ない素材を使用しながら、グローブの有用性を最適化する順応するフィット感を備えた、通気性のある軽量グローブが必要である。
【発明の概要】
【００１３】
本発明は、一般に、軽量で弾性のある指裏を備え、着用者の手に順応するフィット感を提供する、野球またはソフトボール用の軽量グローブに関する。グローブの軽量化により、優れた使いやすさ、ならびに他の利点が提供される。さらに、グローブの順応するフィット感は、他の利点の中でも特に、有用性および性能の向上をもたらす。
【００１４】
一般に、弾性指裏は、弾性素材、弾性素材の組合せ、または弾性素材と非弾性素材の組合せを含む。弾性指裏は、グローブの指裏、背面パネル、裏地、および／または他の要素を弾性素材、弾性素材の組合せ、または弾性素材と非弾性素材の組合せで少なくとも部分的に置き換えることによって達成することができる。
【００１５】
本発明の目的は、（ｉ）軽量グローブを提供すること、（ｉｉ）着用者への改良されたフィット感を備えたグローブを提供すること、（ｉｉｉ）改良された通気性を備えたグローブを提供すること、および（ｉｖ）既知のグローブと比較して少ない素材を利用するグローブを提供することである。本発明の他の利点および目的は、添付の図面を参照して、以下の説明から明らかになるであろう。
【００１６】
本発明の様々な実施形態をよりよく理解するために、添付の図面を参照することができる。
【図面の簡単な説明】
【００１７】
【図１】従来技術のグローブの斜視図である。
【図２】図１の従来技術のグローブの断面図である。
【図３】本発明の教示に従って構成された弾性指裏を有するグローブの第１の実施形態の斜視図である。
【図４】図３のグローブの断面図である。
【図５】本発明の教示に従って構成された弾性指裏を有するグローブの第２の実施形態の斜視図である。
【図６】図５のグローブの断面図である。
【００１８】
本開示は様々な修正および代替形態を受け入れることができるが、その特定の実施形態は例として図面に示されており、本明細書で詳細に説明される。しかし、本明細書において提示される図面および詳細な説明は、本開示を開示される特定の実施形態に限定することを意図するものではなく、逆に、本発明は、本開示の趣旨および範囲内のすべての修正、等価物、および代替物を包含するものであることを理解されたい。
【発明を実施するための形態】
【００１９】
ここで、図面の図を参照して本発明を説明するが、同様の参照番号は図面全体を通して同様の部分を指す。本発明の特性の説明を明確にする目的で、要素間の比例関係は、図面の図では必ずしも維持されていない。図に含まれる寸法は単に例として提供され、そこに提供される寸法以外の寸法も本発明の範囲内であることが理解されるであろう。
【００２０】
本発明の説明は、本発明を実施することができる特定の実施形態を参照している。実施形態は、当業者が本発明を実施することができるように、本発明の態様を十分詳細に説明することを意図している。他の実施形態を利用することができ、本発明の範囲から逸脱することなく変更を加えることができる。本発明は、添付の特許請求の範囲によって定義され、したがって、説明は限定的な意味で解釈されるべきではなく、そのような特許請求の範囲が権利を与えられる等価物の範囲を限定するものではない。
【００２１】
本発明の１つの目的は、（ｉ）軽量化、（ｉｉ）着用者への改良されたフィット感、（ｉｉｉ）改良された通気性、および（ｉｖ）既知のグローブと比較して少ない素材を備えた野球またはソフトボール用のグローブを提供することである。さらに、本発明の別の目的は、野球またはソフトボール用の既知のグローブを改良した野球またはソフトボール用のグローブを提供することである。
【００２２】
本発明は、図３に示されるように、改良された軽量グローブ１６５に関する。グローブ１と同様に、グローブ１６５は、野球またはソフトボールに使用することができる。グローブ１６５は、着用者の手に順応するフィット感を提供する役割を果たす弾性指裏１７０を含むことによって、少なくとも部分的に従来技術のグローブ１を改良する。改良された弾性指裏１７０は、一般に、少なくとも部分的に、軽量弾性素材、弾性素材の組合せ、または通気性弾性素材と通気性非弾性素材の組合せを含む。軽量で通気性のある弾性素材、弾性素材の組合せ、または弾性素材と非弾性素材の組合せは、背面パネル（図示せず）、裏地１４５、および／または既知のグローブ１００の余分または不必要な素材を含む、既知のグローブ１００の他の要素を含む緻密で硬い素材の少なくとも一部を置き換えるように設計されている。素材または素材の組合せの軽量代用は、グローブの使用中に着用者の手の上および／または周りの空気の流れを促進する目的で通気性素材をさらに含むことができ、いくつかの実施形態では、一般に、弾性メッシュ状素材を含むことができる。
【００２３】
好ましい実施形態では、指裏１７０の弾性素材、弾性素材の組合せ、または弾性素材と非弾性素材の組合せは、従来技術のグローブ１００の背面パネル１１５と同様の一般的な目的に役立つ。図３に最もよく示されるように、いくつかの実施形態では、改良されたグローブ１００’の改良された指裏１７０は、弾性素材と非弾性素材の組合せを含み得、弾性素材の下部分１７５は、それによって画定された着用者の手を収容するための開口部１８０を画定することができる。これらの実施形態では、改良された指裏１７０は、グローブ１６５の背面パネル１８５の開口部１８０から親指部分１９０および指部分１９５に延びる弾性素材の連続片を実質的に備える。好ましい実施形態では、指裏１７０によって覆われた親指部分１９０および指部分１９５は、着用者の手および指がその中に伸びる場所、親指部分１９０および指部分１９５の長さの約半分に対応し得る。そのような実施形態では、弾性素材は、着用者の指を収容する以外の目的に適合されたグローブ１００のような従来のグローブの親指部分１０５または指部分１１０と同様であり得る、背面パネル１８５の親指部分１９０または指部分１９５の非弾性部分に延びてそれらと接合することができる。代替の実施形態では、指裏１７０によって覆われた親指部分１９０および指部分１９５は、親指部分１９０および指部分１９５の全体が指裏１７０の素材によって覆われていることを含めて、大きく異なり得る。
【００２４】
図３および図４に示される実施形態に関して、着用者は、開口部１８０に自分の手を挿入する。次いで、着用者は、従来技術のグローブ１００の親指裏地１５０と実質的に同様の親指裏地２００、および従来技術のグローブ１００の指裏地１５５と実質的に同様の指裏地２０５に自分の親指および指を挿入することができ、これらの両方は、従来技術のグローブ１の裏地１４５と同様のグローブ１６５の裏地２１０から形成することができる。親指裏地２００および指裏地２０５はまた、従来技術のグローブ１００のストール１３５、１４０と実質的に同様の親指ストール２１５および指ストール２２０に収容されてもよい。
【００２５】
したがって、改良された指裏１７０の弾性素材は、グローブ１６５の親指裏地２００および指裏地２０５を概して覆い、圧縮的に係合し得る。したがって、着用者がグローブ１６０に自分の手を挿入すると、改良された弾性指裏１７０の弾性素材が着用者の手を圧縮的に固定するため、グローブを着用者の手に選択的に固定するための調節可能なストラップまたはひもを使用する必要がない。指裏１７０は調節可能なストラップまたはひもを備えないものとして図３に示されているが、指裏１７０は、調節可能なストラップまたはひもを含んでもよいことが理解されるであろう。
【００２６】
グローブのさらに別の実施形態である、グローブ２２５が図５に示されている。グローブ２２５は、好ましくは、背面パネル２４５のグローブ２２５の親指部分２３５および指部分２４０に取り付けられた指裏２３０を含む。他のグローブ１００、１６５と同様に、グローブ２２５は、着用者が自分の手を挿入することができる開口部２５０を含む。
【００２７】
他の記載されたグローブ１００、１６５とは異なり、図６に示されるように、指裏２３０自体が親指ストール２５５と指ストール２６０を画定する。グローブ２２５には、それによって画定された別個の親指および指裏地はない。むしろ、指裏は、背面パネル２４５に直接取り付け可能である。グローブ２２５の改良された指裏２３０は、背面パネル２４５の下縁から延びる弾性素材の連続片を備えることができる。この実施形態では、弾性素材の連続片は、親指部分２３５および指部分２４０の長さのほとんどまたはすべてにわたって延びている。
【００２８】
図５および図６によって示される実施形態に関して、着用者は、開口部２５０に自分の手を挿入し、かつ親指ストール２５５および指ストール２６０にそれぞれの指を挿入することで、改良された指裏２３０の弾性素材が着用者の手、親指、および指を直接的に背面パネル２４５に概して覆い、圧縮的に固定することができる。着用者の手、親指、および指の直接的な圧縮は、野球またはソフトボール用の既知のグローブ１００と比較して優れたフィット感を提供する。そのような実施形態の改良されたグローブ２２５は、調節可能なストラップまたはひもの使用を必要としないが、少なくとも１つの実施形態では、グローブ２２５が調節可能なストラップまたはひもを含んでもよいことが理解されるであろう。
【００２９】
本発明の上述の実施形態は、（ｉ）従来のグローブの緻密な革または革状素材の代わりの軽量素材の代用、（ｉｉ）着用者の手への改良された順応するフィット感、および（ｉｉｉ）グローブの使用中における着用者の手の上および周りの改良された通気性を提供する。グローブ１６５、２２５はまた、野球またはソフトボール用の既知のグローブの背面パネルおよび指裏を備える既存の素材と少なくとも同じくらい十分に適切である。
【００３０】
本発明は特定の実施形態としてここで説明および図示されているが、本発明は、限定はしないが、投手、捕手、一塁手、内野手、外野手などのグローブまたはミットを含む、野球またはソフトボール用のすべてのグローブに適用することができることが理解されるであろう。
【００３１】
前述から、本発明の様々な実施形態は、明らかであり、そして本構造に本質的である他の利点と共に、本明細書に上述するすべての目的および利点を達成するためによく適合したものであることがわかるであろう。本実施形態の特定の特徴およびサブコンビネーションは有用であり、他の特徴およびサブコンビネーションを参照することなく、用いることができることが理解されるであろう。本発明の多くの可能な実施形態は、本発明の趣旨および範囲から逸脱することなく行うことができるので、添付の図面に記載または示されている本明細書のすべての開示は、限定ではなく例示としてのみ解釈されるべきであることも理解されたい。上記で説明され、図面に示されている様々な構成は例としてのみ提示され、本発明の概念、原理および範囲を限定することを意図するものではない。
【００３２】
しかし、本発明の多くの変更、修正、変形ならびに他の使用および用途は、本明細書および添付の図面を考慮した後、当業者に明らかになるであろう。本発明の趣旨および範囲から逸脱しないすべてのそのような変更、修正、変形ならびに他の使用および用途は、添付の特許請求の範囲によってのみ限定される本発明によって包含されるとみなされる。
【符号の説明】
【００３３】
１００  グローブ
１０５  親指部分
１１０  指部分
１１５  背面パネル
１２０  グローブ表面
１２５  開口部
１３０  ストラップ／ひも
１３５  親指ストール
１４０  指ストール
１４５  裏地
１５０  親指裏地
１５５  指裏地
１６０  指裏
１６５  グローブ
１７０  弾性指裏、指標
１７５  弾性素材の下部分
１８０  開口部
１８５  背面パネル
１９０  親指部分
１９５  指部分
２００  親指裏地
２０５  指裏地
２１０  裏地
２１５  親指ストール
２２０  指ストール
２２５  グローブ
２３０  指裏
２３５  親指部分
２４０  指部分
２４５  背面パネル
２５０  開口部
２５５  親指ストール
２６０  指ストール
【図１】
2020146450.tif 000003
【図２】
2020146450.tif 000004
【図３】
2020146450.tif 000005
【図４】
2020146450.tif 000006
【図５】
2020146450.tif 000007
【図６】
2020146450.tif 000008
【外国語明細書】
2020146450000001.pdf